(57)【特許請求の範囲】
【請求項１】
複数の広告を選択的に露出する広告露出領域と前記広告露出領域に露出する広告を制御するための広告コントロールインターフェースとを提供する広告領域設定部と、
前記広告コントロールインターフェースを介してユーザの命令を受信し、前記受信された命令に応じて前記広告露出領域と相互通信する通信部と、
前記ユーザの命令に応じて前記広告露出領域に露出する広告を制御する広告制御部と、
を含み、
前記広告コントロールインターフェースは、前記ユーザに露出される広告コントロール領域に設定され、
前記広告制御部は、前記広告露出領域に露出する広告のブランド名およびキャンペーンの説明のうち少なくとも１つを前記広告コントロール領域に出力するリスト名出力部を含むことを特徴とするユーザ制御広告システム。
【請求項２】
前記広告露出領域に露出するための広告キャンペーンリストを抽出するキャンペーンリスト抽出部をさらに含み、
前記広告キャンペーンリストの広告キャンペーンは、同一の主題を有する１つ以上の広告を含むことを特徴とする、請求項１に記載のユーザ制御広告システム。
【請求項３】
前記キャンペーンリスト抽出部は、ユーザの性別、地域、年齢、および広告露出時間帯のうち少なくとも１つを含む広告ターゲッティング情報を基に１つ以上の広告キャンペーンを抽出することを特徴とする、請求項２に記載のユーザ制御広告システム。
【請求項４】
前記キャンペーンリスト抽出部は、
複数の広告主を業種別に分類する広告業種分類部と、
前記分類された広告業種に基づいて１つ以上の広告の選択を受信する広告選択部と、
前記選択された広告に基づいて前記広告キャンペーンリストを構成するリスト構成部と、
を含むことを特徴とする、請求項２に記載のユーザ制御広告システム。
【請求項５】
前記キャンペーンリスト抽出部は、
広告プールからの１つ以上の広告の選択を受信する広告選択部と、
前記選択された広告に基づいて前記広告キャンペーンリストを構成するリスト構成部と、
を含むことを特徴とする、請求項２に記載のユーザ制御広告システム。
【請求項６】
前記広告制御部は、
前記ユーザの命令に応じて前記広告露出領域に露出する広告キャンペーンをローリングする広告ローリング制御部を含み、
前記広告ローリング制御部は、
前記ユーザから広告ローリング命令を受信するローリング命令受信部と、
前記広告ローリング命令に応じて前記広告キャンペーンリスト内からのローリング対象キャンペーンの選択を受信するキャンペーン選択部と、
前記選択されたキャンペーンに含まれる１つ以上の広告を前記広告露出領域に露出するように制御する広告露出制御部と、
を含むことを特徴とする、請求項２に記載のユーザ制御広告システム。
【請求項７】
前記広告制御部は、
前記ローリングされる広告キャンペーンが成人広告を含むか否かを判断する成人広告判断部を含み、
前記成人広告判断部は、前記ユーザが成人であるか否かによって前記成人広告を含むキャンペーンの露出の可否を決定することを特徴とする、請求項６に記載のユーザ制御広告システム。
【請求項８】
前記広告に対する課金を管理する課金管理部をさらに含み、 
前記課金管理部は、前記広告露出領域に最初に露出される広告に対して課金し、前記広告ローリング命令に基づいて露出される広告に対して課金しないことを特徴とする、請求項６に記載のユーザ制御広告システム。
【請求項９】
前記広告に対する課金を管理する課金管理部をさらに含み、
前記課金管理部は、前記広告露出領域に最初に露出される広告および前記広告ローリング命令に基づいて露出される広告の各々に対して課金することを特徴とする、請求項６に記載のユーザ制御広告システム。
【請求項１０】
前記広告に対する課金を管理する課金管理部をさらに含み、
前記課金管理部は、前記広告露出領域に最初に露出される広告および前記広告ローリング命令に基づいて露出される広告の各々に対して加重値が異なるように課金することを特徴とする、請求項６に記載のユーザ制御広告システム。
【請求項１１】
前記広告制御部は、前記広告コントロールインターフェースを介して受信された前記ユーザの命令に応じて前記広告露出領域に露出する広告の選択を制御する広告再生制御部を含むことを特徴とする、請求項１に記載のユーザ制御広告システム。
【請求項１２】
前記広告制御部は、前記広告コントロールインターフェースを介して受信された前記ユーザの命令に応じて露出する広告のアニメーション機能を制御する広告再生制御部を含むことを特徴とする、請求項１に記載のユーザ制御広告システム。
【請求項１３】
前記アニメーション機能は、前記広告露出領域に露出される広告の再生、停止、格納、拡大および縮小のうち少なくとも１つのための機能を含むことを特徴とする、請求項１２に記載のユーザ制御広告システム。
【請求項１４】
前記広告再生制御部は、前記広告露出領域に広告がロードされない場合、前記広告を代替するイメージを露出して、前記広告の再生、停止、および格納のうち少なくとも１つのためのユーザ命令を受信しないことを特徴とする、請求項１２に記載のユーザ制御広告システム。
【請求項１５】
前記広告制御部は、前記広告露出領域に露出するための広告を検索する広告検索部を含み、
前記広告検索部は、
前記広告コントロール領域内の検索ウィンドウを介して前記ユーザからのクエリの入力を受信するクエリ入力部と、
前記クエリに対応する１つ以上の検索広告を前記ユーザに提供する検索結果提供部と、
前記１つ以上の検索広告のうちの１つの広告の選択を前記ユーザから受信し、前記選択された広告を前記広告露出領域に露出するように制御する広告露出制御部と、
を含むことを特徴とする、請求項１に記載のユーザ制御広告システム。
【請求項１６】
複数の広告を選択的に露出する広告露出領域と前記広告露出領域に露出する広告を制御するための広告コントロールインターフェースとを提供し、
前記広告コントロールインターフェースを介してユーザの命令を受信し、前記受信された命令に応じて前記広告露出領域と相互通信して露出する広告を制御すること、
を含み、
前記広告コントロールインターフェースは、前記ユーザに露出される広告コントロール領域に設定され、
前記制御は、
前記広告露出領域に露出する広告のブランド名およびキャンペーンの説明のうち少なくとも１つを前記広告コントロール領域に出力することを特徴とする、ユーザ制御広告方法。
【請求項１７】
前記広告露出領域に露出するための広告キャンペーンリストを抽出することをさらに含み、
前記広告キャンペーンリストの広告キャンペーンは、同一の主題を有する１つ以上の広告を含むことを特徴とする、請求項１６に記載のユーザ制御広告方法。
【請求項１８】
前記広告キャンペーンリストの抽出は、
ユーザの性別、地域、年齢、および広告露出時間帯のうち少なくとも１つを含む広告ターゲッティング情報を基に１つ以上の広告キャンペーンを抽出することを特徴とする、請求項１７に記載のユーザ制御広告方法。
【請求項１９】
前記広告キャンペーンリストの抽出は、
複数の広告主を業種別に分類し、
前記分類された広告業種に基づいた１つ以上の広告の選択を受信し、
前記選択された広告に基づいて前記広告キャンペーンリストを構成すること、
を含むことを特徴とする、請求項１７に記載のユーザ制御広告方法。
【請求項２０】
前記広告キャンペーンリストの抽出は、
広告プールからの１つ以上の広告の選択を受信し、
前記選択された広告に基づいて前記広告キャンペーンリストを構成すること、
を含むことを特徴とする、請求項１７に記載のユーザ制御広告方法。
【請求項２１】
前記制御は、
前記ユーザから広告ローリング命令を受信し、
前記広告ローリング命令に応じて前記広告キャンペーンリストからローリング対象キャンペーンの選択を受信し、
前記選択されたキャンペーンに含まれる１つ以上の広告を前記広告露出領域に露出するように制御すること、
を含むことを特徴とする、請求項１７に記載のユーザ制御広告方法。
【請求項２２】
前記制御は、
前記ローリング対象キャンペーンが成人広告を含むか否かを判断し、
前記ユーザが成人であるか否かによって前記成人広告を含むキャンペーンの露出の可否を決定すること、
を含むことを特徴とする、請求項２１に記載のユーザ制御広告方法。
【請求項２３】
前記広告に対する課金を管理することをさらに含み、
前記課金の管理は、
前記広告露出領域に最初に露出される広告に対して課金し、
前記広告ローリング命令に基づいて露出される広告に対して課金しないように制御すること、
を含むことを特徴とする、請求項２１に記載のユーザ制御広告方法。
【請求項２４】
前記広告に対する課金を管理することをさらに含み、
前記課金の管理は、
前記広告露出領域に最初に露出される広告に対して課金し、
前記広告ローリング命令に基づいて露出される広告に対して課金すること、
を含むことを特徴とする、請求項２１に記載のユーザ制御広告方法。
【請求項２５】
前記広告に対する課金を管理することをさらに含み、
前記課金の管理は、
前記広告露出領域に最初に露出される広告に対し第１加重値を付与して課金しと、
前記広告ローリング命令に基づいて露出される広告に対し第２加重値を付与して課金すること、
を含むことを特徴とする、請求項２１に記載のユーザ制御広告方法。
【請求項２６】
前記制御は、
前記広告コントロールインターフェースを介して前記ユーザの命令を受信し、
前記受信された命令に応じて前記広告露出領域に露出する広告の選択を制御すること、
を含むことを特徴とする、請求項１６に記載のユーザ制御広告方法。
【請求項２７】
前記制御は、
前記広告コントロールインターフェースを介して前記ユーザの命令を受信し、
前記受信された命令に応じて前記広告露出領域に露出する広告のアニメーション機能を制御すること、
を含むことを特徴とする、請求項１６に記載のユーザ制御広告方法。
【請求項２８】
前記アニメーション機能は、前記広告露出領域に露出される広告の再生、停止、格納、拡大および縮小のうち少なくとも１つのための機能を含むことを特徴とする、請求項２７に記載のユーザ制御広告方法。
【請求項２９】
前記広告の再生、停止、および格納のうち少なくとも１つの制御は、
前記広告露出領域に広告がロードされない場合、前記広告を代替するイメージを露出し、前記広告の再生、停止、および格納のうち少なくとも１つのためのユーザ命令を受信しないことを特徴とする、請求項２７に記載のユーザ制御広告方法。
【請求項３０】
前記制御は、
前記広告コントロール領域内の検索ウィンドウを介して前記ユーザからのクエリの入力を受信し、
前記クエリに対応する１つ以上の検索広告を前記ユーザに提供し、
前記１つ以上の検索広告のうち１つの広告の選択を前記ユーザから受信し、
前記選択された広告を前記広告露出領域に露出するように制御すること、
を含むことを特徴とする、請求項１６に記載のユーザ制御広告方法。
【請求項３１】
請求項１６乃至請求項３０のうちいずれか１項の方法を実行するためのプログラムが記録されていることを特徴とするコンピュータで読み出し可能な記録媒体。
【発明の詳細な説明】
【技術分野】
【０００１】
本発明は、ユーザ制御広告システムおよびその方法に関し、特に広告露出領域と広告コントロール領域とを分離してユーザが制御可能な広告を提供するユーザ制御広告システムおよびその方法に関する。
【背景技術】
【０００２】
インターネット広告は、インターネットを利用した広告であって、インターネットという媒体の長所を活用した広告によって、企業は少ない費用で多くの消費者と接触することができ、顧客の反応も直ぐに把握することができる。一例として、バナー広告は、ホームページの一側に特定のウェブサイト名や内容を貼り付けて広報するグラフィックイメージを用いる広告方式をいう。
【０００３】
このようなインターネット広告では、ユーザが広告の再生または中止を制御することが難しく、現在露出されている広告と他の広告とを容易に視聴することが困難であった。
【０００４】
したがって、再生される広告をユーザが容易に制御し、視聴しようとする広告を容易に検索することのできる広告提供システムおよびその方法が切実に求められている。
【発明の概要】
【発明が解決しようとする課題】
【０００５】
本発明は、広告を露出する領域と広告をコントロールするための領域とを分離して実現することにより、再生される広告をユーザが容易に再生または中止できるようにするユーザ制御広告システムおよびその方法を提供する。
【０００６】
本発明は、１つ以上の広告キャンペーンをユーザの入力によってローリングして提供することにより、ユーザの所望する時間にユーザが所望する広告を選択的、反復的に視聴できるようにするユーザ制御広告システムおよびその方法を提供する。
【０００７】
本発明は、広告露出領域に露出する広告キャンペーンをユーザが選択できるようにすることによって、ユーザが所望する広告を視聴できるようにするユーザ制御広告システムおよびその方法を提供する。
【課題を解決するための手段】
【０００８】
本発明の一実施形態に係るユーザ制御広告システムは、複数の広告を選択的に露出する広告露出領域と広告露出領域に露出する広告を制御するための広告コントロール領域とを分離して設定する広告領域設定部と、広告コントロール領域を介してユーザの命令を受信し、受信した命令によって広告露出領域と相互通信する通信部と、ユーザの命令によって広告露出領域に露出する広告のアニメーション機能制御または広告露出領域に露出される異なる広告を移動させて選択されるように制御する広告制御部とを含む。
【０００９】
ユーザ制御広告システムは、広告露出領域に露出するための広告キャンペーンのリストを抽出するキャンペーンリスト抽出部をさらに含み、広告キャンペーンは、同一の主題を有する１つ以上の広告を含んでもよい。
【００１０】
キャンペーンリスト抽出部は、複数の広告主を業種別に分類する広告業種分類部と、分類された広告業種に基づいた１つ以上の広告の選択を受信する広告選択部と、選択された広告に基づいて広告キャンペーンのリストを構成するリスト構成部とを含んでもよい。
【００１１】
広告制御部は、ユーザの命令によって広告露出領域に露出する広告キャンペーンをローリングする広告ローリング制御部を含み、広告ローリング制御部は、ユーザから広告ローリング命令を受信するローリング命令受信部と、広告ローリング命令に応じて広告キャンペーンリスト内からのローリング対象キャンペーンの選択を受信するキャンペーン選択部と、選択されたキャンペーンに含まれる１つ以上の広告を広告露出領域に露出するように制御する広告露出制御部とを含んでもよい。
【００１２】
ユーザ制御広告システムは、広告に対する課金を管理する課金管理部をさらに含み、課金管理部は、広告露出領域の最初の露出広告に対して課金してもよく、広告ローリング命令に基づいて露出される広告に対して課金しなくてもよい。
【００１３】
ユーザ制御広告システムは、広告に対する課金を管理する課金管理部をさらに含み、課金管理部は、広告露出領域の最初の露出広告、および広告ローリング命令に基づいて露出される広告の各々に対して加重値を異なるように課金してもよい。
【００１４】
ユーザ制御広告システムは、広告制御部は、広告露出領域に露出するための広告を検索する広告検索部を含み、広告検索部は、広告コントロール領域内の検索ウィンドウを介してユーザからのクエリの入力を受信するクエリ入力部と、クエリに対応する１つ以上の検索広告をユーザに提供する検索結果提供部と、１つ以上の検索広告のうち１つの広告の選択をユーザから受信して、選択された広告を広告露出領域に露出するように制御する広告露出制御部とを含んでもよい。
【００１５】
本発明の一実施形態に係るユーザ制御広告方法は、複数の広告を選択的に露出する広告露出領域と広告露出領域に露出する広告を制御するための広告コントロール領域とを分離し、広告コントロール領域を介してユーザの命令を受信し、受信された命令によって広告露出領域と相互通信して露出する広告を制御することを含み、露出する広告の制御は、ユーザの命令に応じて、広告露出領域に露出する広告のアニメーション機能を制御してもよく、または広告露出領域に露出する他の広告を移動させて選択されるように制御することを含む。
【００１６】
制御することは、広告コントロール領域を介してユーザの命令を受信し、受信された命令に応じて広告露出領域に露出する広告の再生、停止、および格納のうち少なくとも１つを制御することを含んでもよい。
【発明の効果】
【００１７】
本発明の一実施形態によれば、広告が露出する領域と広告をコントロールするための領域とを分離することにより、露出される広告をユーザが容易に再生または停止できる。
【００１８】
本発明の一実施形態によれば、１つ以上の広告キャンペーンをユーザの入力によってローリングして提供することにより、ユーザが所望する広告を選択的、反復的に所望の時間に視聴できる。
【００１９】
本発明の一実施形態によれば、広告露出領域に露出される広告キャンペーンをユーザが選択できるようにすることによって、ユーザが所望する広告を視聴できる。
【図面の簡単な説明】
【００２０】
【図１】本発明の一実施形態において、ユーザ制御広告システムを示すブロック図である。
【図２】図１に示した広告制御部の一例を示す図である。
【図３】本発明の一実施形態において、ユーザ制御ローリング広告が提供される一例を示す図である。
【図４】本発明の一実施形態において、キャンペーンリストに応じてローリング広告が提供される一例を説明するための図である。
【図５】本発明の一実施形態において、ローリング対象キャンペーンを登録する例を示すための図である。
【図６】本発明の一実施形態において、ユーザ制御広告方法を説明するためのフローチャートである。
【図７】図６に示した広告キャンペーンのリストを抽出する動作を説明するフローチャートである。
【図８】図６に示した広告を制御する動作を説明するフローチャートである。
【図９】他の一実施形態において、図６に示した広告を制御する動作を説明するフローチャートである。
【図１０】ポータルサイトネイバーによって提供される広告情報提供ページ（ＡＤキャストホーム）の一例である。
【図１１】個別の広告に関する詳細情報を提供する画面を説明する図である。
【図１２】広告情報提供に関連する全体的なサービスのフローチャートである。
【発明を実施するための形態】
【００２１】
以下、添付する図面に記載した内容を参照しながら本発明に係る実施形態を詳細に説明する。ただし、本発明は、多様な形態で実装されてもよく、ここに記載される実施形態に限定されるべきではない。実施形態は、説明を介して当業者に本発明の範囲を完全に伝えるために提供される。図面において、大きさ、及び層及び領域の相対的な大きさは明確にするために誇張されている。各図面に提示する同一の参照符号は同一の部材を示す。
【００２２】
図１は、本発明の一実施形態において、ユーザ制御広告システムを示すブロック図である。
【００２３】
図１を参照すると、ユーザ制御広告システム１００は、広告制御部１２０、広告領域設定部１３０、および通信部１５０を含む。また、ユーザ制御広告システム１００は、キャンペーンリスト抽出部１１０、課金管理部１４０をさらに含んでもよい。
【００２４】
広告領域設定部１３０は、複数の広告を選択的に露出する広告露出領域と広告露出領域に露出する広告を制御するための広告コントロール領域とを分離して設定してもよい。例えば、広告領域設定部１３０は、バナー広告などを露出するための広告露出領域を広告露出領域に露出する広告を制御するための広告コントロール領域から分離して、広告露出のための領域を設定してもよい。ここでは、１つ以上のキャンペーン内の１つ以上の広告が、順次またはランダムに広告露出領域に露出されてもよい。
【００２５】
他の実施形態において、広告領域設定部１３０は、複数の広告を選択的に露出する広告露出領域と広告露出領域に露出する広告を制御するための広告コントロールインターフェースとを提供してもよい。例えば、広告領域設定部１３０は、広告露出領域と広告コントロールインターフェースとが設定されたウェブページをユーザに提供してもよい。ここでは、広告コントロールインターフェースは、ユーザが広告露出領域に露出される広告を制御するためのインターフェースを意味してもよい。例えば、このような広告コントロールインターフェースは、上述した広告コントロール領域に設定されてもよく、ユーザによるクリックなどのイベントを検出するためのインターフェースであってもよい。
【００２６】
通信部１５０は、広告コントロール領域を介してユーザの命令を受信し、受信された命令に応じて広告露出領域と相互通信してもよい。すなわち、通信部１５０は、広告露出領域から分離された広告コントロール領域を介してユーザの命令を受信して、広告露出領域に露出する広告をコントロールするための命令を広告露出領域に伝達してもよい。
【００２７】
上述した他の実施形態において、通信部１５０は、広告コントロールインターフェースを介してユーザ命令を受信してもよい。
【００２８】
広告制御部１２０は、ユーザの命令に応じて広告露出領域に露出する広告のアニメーション機能を制御してもよく、または広告露出領域に露出する異なる広告を移動させて選択されるように制御してもよい。ここでは、ユーザは、広告露出領域に露出される広告をマウスクリックなどによって容易に再生、停止、格納、ローリングすることができる。また、広告のアニメーション機能は、広告露出領域の広告が停止せずに動く機能を意味してもよい。アニメーション機能を有する広告は、広告が露出された後に１回再生され、再生が完了すれば停止カットが露出されてもよい。また、アニメーション機能を有する広告がクリックされた場合、広告主サイトに移動するようにしてもよい。
【００２９】
他の実施形態において、広告制御部１２０は、ユーザの命令に応じて広告露出領域に露出する広告を制御してもよい。ここでは、広告制御部１２０は、広告コントロールインターフェースを介して受信されたユーザの命令に応じて広告露出領域に露出する広告の選択、または露出する広告のアニメーション機能を制御する広告再生制御部（図示せず）を含んでもよい。アニメーション機能は、広告露出領域に露出する広告の再生、停止、格納、拡大および縮小のうち少なくとも１つの機能を含んでもよい。また、露出する広告の選択を制御するために、広告制御部１２０は、１つの選択された広告を露出するように制御してもよく、ユーザの命令に応じて広告露出領域を複数の領域に分離して選択された複数の広告を同時に露出するように制御してもよい。
【００３０】
一方、広告露出領域に静止画の広告が露出される場合、広告コントロール領域の再生／停止ボタンは非活性化されてもよい。
【００３１】
ここで、広告露出領域と広告コントロール領域とが分離して提供される一実施形態は、図３を参照しながら以下にて詳細に説明する。
【００３２】
図３は、本発明の一実施形態において、ユーザ制御ローリング広告の一例を示す図である。
【００３３】
図３を参照すると、広告主の広告を提供するための領域３１０は、実際に広告が露出される広告露出領域３１２および露出される広告を制御するための広告コントロール領域３１１を含んでもよく、ユーザが露出される広告を容易に制御できるようにしてもよい。例えば、広告コントロール領域に備えられたボタンによって、広告の再生、停止などを制御してもよく、ローリングボタンによって広告露出領域で露出される広告をローリングしてもよい。また、一週間に露出される全ての広告の目録の表示機能、広告画像の拡大およびキャプチャー機能、ブログやカフェなどへのクリッピング機能などを制御することができ、例示されてはいないが、広告を制御するための多様な機能が追加されてもよい。
【００３４】
再び図１を参照すると、キャンペーンリスト抽出部１１０は、１つ以上のキャンペーンを含むキャンペーンリストを抽出してもよい。すなわち、広告露出領域に露出される広告のローリングのためにローリング対象キャンペーンを含むキャンペーンリストを抽出してもよい。ここでは、キャンペーンリストは、ユーザの性別、地域、年齢、および広告露出時間帯のうち少なくとも１つを含む広告ターゲッティング情報に基づいて抽出されてもよい。
【００３５】
また、キャンペーンリストの抽出は、ユーザが選択した広告および広告業種のうち少なくとも１つに基づいてローリング対象キャンペーンを抽出してもよい。例えば、システムは広告主を業種別によって分類することが可能であってもよく、ユーザが業種別にローリングの対象となる広告またはキャンペーンを選択することが可能であってもよい。このため、キャンペーンリスト抽出部１１０は、広告業種分類部１１１、広告選択部１１２、およびリスト構成部１１３を含んでもよい。
【００３６】
広告業種分類部１１１は、複数の広告主を業種別に分類してもよい。
【００３７】
広告選択部１１２は、広告業種に基づいた１つ以上の広告の選択をユーザから受信してもよい。
【００３８】
リスト構成部１１３は、選択された広告に基づいて広告キャンペーンのリストを構成してもよい。
【００３９】
また別の実施形態として、全体広告プールの中からユーザが１つ以上の広告またはキャンペーンを選択してもよく、選択された広告またはキャンペーンがローリングの対象になるように設定してもよい。このため、キャンペーンリスト抽出部１１０は、広告選択部（図示せず）およびリスト構成部（図示せず）を含んでもよい。広告選択部（図示せず）はユーザによる広告プール（ｐｏｏｌ）からの１つ以上の広告の選択を受信し、リスト構成部（図示せず）は選択された広告に基づいて広告キャンペーンのリストを構成してもよい。
【００４０】
上記のように、ユーザが閲覧を所望する広告を能動的に選択することによって、よりカスタマイズされた広告を露出することができる。
【００４１】
課金管理部１４０は、広告に対する課金を管理してもよい。例えば、課金管理部１４０は、広告に関連する広告の露出回数、クリック数、およびインタラクションなどを算出して広告実行リポートを作成してもよく、広告実行リポートによって課金などを管理してもよい。ただし、広告ローリングに基づく広告露出、広告クリック、およびインタラクションのうち少なくとも１つは、広告実行リポートから除外されてもよく、課金されなくてもよい。例えば、広告露出領域のシステムによって露出される最初の広告に対して課金を行なってもよく、ユーザによる広告ローリング命令に基づいて露出される広告に対しては課金を行なわなくてもよい。
【００４２】
別の実施形態において、課金管理部１４０は、広告露出領域に露出される最初の広告および広告ローリング命令に基づいて露出される広告の各々に対して課金してもよい。すなわち、ローリングによる広告に対する課金は、全露出数に基づいて同一に行われてもよい。
【００４３】
また別の実施形態において、課金管理部１４０は、広告露出領域に露出される最初の広告および広告ローリング命令に基づいて露出される広告の各々に対して異なる加重値を適用して課金してもよい。すなわち、システムによって選択されて露出される広告とユーザの選択によって露出される広告とに互いに異なる加重値を適用して各々の広告に課金を行なってもよい。例えば、システムによって露出される広告には第１加重値を適用して課金してもよく、ユーザのローリングによって選択されて露出される広告には第２加重値を適用して課金してもよい。
【００４４】
上記にて、広告露出に対する課金を説明したが、その他にも、例えば、広告クリックなどの課金を適用することができるアクションに対しては、前記実施形態によって課金が実行されてもよい。
【００４５】
図２は、図１に示した広告制御部の一例を示す図である。
【００４６】
図２を参照すると、広告制御部１２０は、広告ローリング制御部２１０、成人広告判断部２２０、広告再生制御部２３０、リスト名出力部２４０、および広告検索部２５０を含んでもよい。
【００４７】
広告ローリング制御部２１０は、ユーザの命令に応じて広告露出領域に露出される広告キャンペーンをローリングしてもよい。例えば、ユーザが広告露出領域に露出される広告をローリングするために広告ローリングボタンをクリックすれば、広告はローリングされて広告露出領域に露出されてもよい。ここでは、広告ローリングは、各キャンペーンごとにローリングされてもよい。例えば、広告露出領域に現在露出されている広告がキャンペーンＡに含まれる広告である場合、ユーザが広告ローリングボタンをクリックして広告ローリングを指示すれば、キャンペーンＡからキャンペーンＢへのローリングが行われ、キャンペーンＢに含まれる広告が広告露出領域に露出されてもよい。ここでは、キャンペーンリスト内のキャンペーンの１つが順次ローリングされてもよい。広告ローリングのために、広告ローリング制御部２１０は、ローリング命令受信部２１１、キャンペーン選択部２１２、および広告露出制御部２１３を含んでもよい。
【００４８】
ローリング命令受信部２１１は、ユーザから広告ローリング命令を受信してもよく、キャンペーン選択部２１２は、広告ローリング命令に応じて広告キャンペーンリスト内からのローリング対象キャンペーンの選択を受信してもよい。広告露出制御部２１３は、選択されたキャンペーンに含まれる１つ以上の広告を広告露出領域に露出するように制御してもよい。
【００４９】
成人広告判断部２２０は、ローリングされた広告キャンペーンが成人広告を含むか否かを判断してもよい。ユーザが成人であるか否かによって成人広告を含むキャンペーンの露出の可否を決定してもよい。特に、ローリングされたキャンペーンが成人広告を含んでいない場合には、ユーザが成人であるか否かに関係なくローリングされたキャンペーンが露出されてもよい。逆に、ローリングされたキャンペーンが成人広告を含む場合には、ユーザが成人の場合にのみローリングされたキャンペーンが露出されるようにしてもよい。
【００５０】
広告再生制御部２３０は、広告コントロール領域を介して受信されたユーザの命令に応じて、広告露出領域に露出される広告の再生、停止、および格納のうち少なくとも１つを制御してもよい。特に、ユーザが露出される広告を再生、または停止しようとする場合、独立した再生／停止ボタンなどによって、広告の再生、または停止を可能にしてもよい。また、ユーザが露出された広告をクリップしようとする場合、独立した格納ボタンなどによって露出された広告が格納されてもよい。ここで、広告再生制御部２３０は、広告露出領域に広告がロード中の場合、広告の再生、停止、および格納のうち少なくとも１つのユーザ命令を受信しなくてもよい。すなわち、広告露出領域に広告をロードしている途中にユーザのアクションによるエラーを防止するために、広告コントロール領域に備えられた再生ボタンなどを非活性化してユーザ命令が受信されなくてもよい。
【００５１】
また、広告再生制御部２３０は、広告露出領域に広告がロードされない場合、該広告を代替するイメージを露出してもよく、広告の再生、停止、および格納のうち少なくとも１つのユーザ命令を受信しなくてもよい。例えば、ユーザのＰＣ環境およびネットワーク状況によって広告のロードが遅れたり広告がロードされない場合、ロードしようとする広告を代替するイメージが露出されてもよく、広告コントロール領域に備えられた再生ボタンなどを非活性化してユーザ命令を受信しなくてもよい。すなわち、ボタンの非活性化によってマウスオーバー（ｏｖｅｒ）、またはクリック（ｃｌｉｃｋ）に対応するアクションをなくしてもよい。
【００５２】
リスト名出力部２４０は、広告露出領域に露出する広告のブランド名およびキャンペーンの説明のうち少なくとも１つを広告コントロール領域に出力してもよい。特に、広告が露出される広告露出領域とは別に、広告を制御するための広告コントロール領域に現在露出されている広告のブランド名およびキャンペーンの説明のうち少なくとも１つを出力するようにしてもよい。したがって、広告露出領域とは別に、広告のブランド名、キャンペーンの説明などを露出して、より広告効果を高めるようにしてもよい。
【００５３】
広告検索部２５０は、広告露出領域に露出するための広告を検索してもよい。ここで、広告検索部２５０は、クエリ入力部２５１、検索結果提供部２５２、および広告露出制御部２５３を含んでもよい。
【００５４】
クエリ入力部２５１は、広告コントロール領域内の検索ウィンドウを介してユーザからクエリの入力を受信してもよく、検索結果提供部２５２は、前記クエリに対応する１つ以上の検索広告をユーザに提供してもよい。広告露出制御部２５３は、１つ以上の検索広告のうち１つの広告の選択をユーザから受信し、選択された広告を広告露出領域に露出するように制御してもよい。
【００５５】
例えば、ユーザが特定の広告を閲覧しようと広告コントロール領域内にある検索ウィンドウに広告検索のためのクエリを入力すれば、前記クエリに対応する検索結果リストを露出するようにしてもよい。露出された検索結果リストの中からユーザが特定の広告を選択すれば、選択された広告が広告露出領域に露出されてもよく、ユーザは検索による広告の閲覧を容易に行うことができる。
【００５６】
上記のように、広告が露出される広告露出領域と該広告露出領域と分離されて、広告を制御するための広告コントロール領域とを介して広告の再生、格納、広告ローリングなどを行うようにすることによって、ユーザが能動的に広告を選択して視聴できるようにし、ユーザが所望する広告がターゲッティングされるようにしてもよい。
【００５７】
図４は、本発明の一実施形態において、キャンペーンリストに応じてローリング広告が提供される一例を説明するための図である。
【００５８】
図４を参照すると、広告は、各キャンペーンごとに提供されてもよく、１つのキャンペーンは複数の広告を含んでもよい。ここでは、広告露出領域４３０に露出されるための広告キャンペーンは、ユーザから選択されてもよく、または広告プールからランダムに選択されてもよく、選択された広告はキャンペーンリスト４１０の形態で構成されてもよい。
【００５９】
例えば、キャンペーンリストを構成するためのキャンペーンを選択するために、ユーザは、予め分類された広告業種のうち少なくとも１つを選択してもよい。また、ユーザは、広告プールにある広告またはキャンペーンのうち少なくとも１つを選択してキャンペーンリストを構成してもよい。例えば、ユーザＡが露出を所望する広告キャンペーンとして「ネイバーオープンキャストキャンペーン４１１」、「サムスン電子エニーコールキャンペーン４１２」、「ＬＧ電子サイオンキャンペーン４１３」、「現代カードＭキャンペーン４１４」などを選択したとすれば、選択された１つ以上のキャンペーンは順次広告露出領域に露出されてもよい。ここで、広告露出領域４３０に「ネイバーオープンキャストキャンペーン」に含まれる広告が露出される間にユーザが後段キャンペーンローリングボタン４２４をクリックすれば、「サムスン電子エニーコールキャンペーン」に含まれた広告が露出されてもよい。したがって、ユーザが露出を所望する広告を直接選択できるようにしてもよく、ユーザにターゲッティングされた広告を露出することができ、ユーザの広告に対する関心度を高めることができる。
【００６０】
広告が提供される領域は、実際にバナー広告などが露出される領域である広告露出領域４３０と、広告露出領域に露出される広告を制御するための広告コントロール領域４２０とに分離されてもよい。ここで、広告コントロール領域４２０は、広告のブランド名およびキャンペーンの説明のうち少なくとも１つを出力するリスト名出力部４２１を含んでもよい。図４に示すように、広告露出領域４３０に現在露出されている広告のブランド名である「ネイバー」、および広告のキャンペーンの説明である「オープンキャストキャンペーン」は、リスト名出力部４２１によって出力されてもよい。また、広告コントロール領域４２０は、広告露出領域４３０に露出される広告の再生／停止を制御する再生ボタン４２２、現在露出されているキャンペーンの次のキャンペーンにローリングする後段キャンペーンローリングボタン４２４、現在露出されているキャンペーンの前のキャンペーンにローリングする前段キャンペーンローリングボタン４２３、およびヘルプを提供するヘルプボタン４２５などを提供してもよい。
【００６１】
図５は、本発明の一実施形態において、ローリング対象キャンペーンを登録する例を示すための図である。
【００６２】
図５を参照すると、広告主は、キャンペーンの説明、広告タイプ、広告業種、ブランド名、キャンペーンの説明などを記載してユーザ制御ローリング広告のためのキャンペーンを登録してもよい。ここで、ユーザは、ブランド名およびキャンペーンの説明のうち少なくとも１つを含むリスト名が露出される広告コントロール領域の画面を「プレビュー」機能によって確認してもよい。すなわち、ユーザがプレビューアイコン５１０をクリックすれば、プレビューウィンドウ５２０において広告コントロール領域５２１で露出される画面が表示されてもよい。
【００６３】
図６は、本発明の一実施形態において、ユーザ制御広告方法を説明するためのフローチャートである。
【００６４】
図６を参照すると、ステップＳ６１０では、複数の広告を選択的に露出する広告露出領域と広告露出領域に露出する広告を制御するための広告コントロール領域とを分離してもよい。すなわち、広告が露出される広告露出領域と広告露出領域に露出される広告を制御するための広告コントロール領域とを互いに分離して構成し、広告露出領域と広告コントロール領域とが相互通信して広告を容易にコントロールすることができる。
【００６５】
別の実施形態において、ステップＳ６１０では、複数の広告を選択的に露出する広告露出領域と広告露出領域に露出する広告を制御するための広告コントロールインターフェースとを提供してもよい。例えば、広告露出領域と広告コントロールインターフェースとが設定されたウェブページをユーザに提供してもよい。ここで、広告コントロールインターフェースは、ユーザが広告露出領域に露出される広告を制御するためのインターフェースを意味してもよい。例えば、このような広告コントロールインターフェースは、上述した広告コントロール領域に設定されてもよく、ユーザによるクリックなどのイベントを検出するためのインターフェースであってもよい。
【００６６】
ステップＳ６２０では、広告露出領域に露出するための広告キャンペーンリストを抽出してもよい。ここで、広告キャンペーンリストは、システムまたはユーザによって抽出されてもよい。システムによって自動的に広告キャンペーンリストが抽出される場合、ユーザの性別、地域、ユーザの年齢、および広告露出時間帯のうち少なくとも１つを含む広告ターゲッティング情報を基に１つ以上の広告キャンペーンを抽出してもよい。ユーザによって広告キャンペーンリストが抽出される過程は、図７を参考にしながら以下にて詳細に説明する。
【００６７】
図７は、図６に示した広告キャンペーンリストを抽出する動作を説明するフローチャートである。
【００６８】
図７を参照すると、ステップＳ７１０では、複数の広告主を業種別に分類してもよく、ステップＳ７２０では、分類された広告業種に基づいてユーザから１つ以上の広告が選択されてもよい。また、ステップＳ７３０では、選択された広告に基づいて広告キャンペーンのリストを構成してもよい。
【００６９】
ユーザの選択に基づくキャンペーンリストの抽出のまた別の例として、広告プールから１つ以上の広告を選択し、選択された広告に基づいて広告キャンペーンリストを構成してもよい。
【００７０】
再び図６を参照すると、ステップＳ６３０では、広告コントロール領域を介してユーザの命令を受信し、受信された命令に応じて広告露出領域と相互通信して露出する広告を制御してもよい。ここで、露出する広告の制御は、ユーザの命令に基づいて広告露出領域に露出する広告のアニメーション機能を制御してもよく、同じ期間に露出する異なる広告を移動させて選択されるように制御してもよい。例えば、ユーザは広告コントロール領域にあるボタンなどをクリックして広告露出領域に露出される広告の再生、停止を制御してもよく、同じ期間に露出される広告キャンペーンをボタンクリックなどによってローリングして選択するように制御してもよい。
【００７１】
上述した異なる実施形態において、ステップＳ６３０では、広告コントロールインターフェースを介してユーザ命令を受信してもよい。上述したように、広告コントロールインターフェースは、ユーザが広告露出領域に露出される広告を制御するためのインターフェースを意味してもよい。また、さらに別の実施形態において、ステップＳ６３０では、ユーザの命令に応じて広告露出領域に露出する広告を制御してもよい。ここで、ステップＳ６３０は、広告コントロールインターフェースを介してユーザの命令を受信すること（図示せず）と、受信された命令に応じて広告露出領域に露出する広告の選択または露出する広告のアニメーション機能を制御すること（図示せず）とを含んでもよい。ここで、アニメーション機能は、広告露出領域に露出される広告の再生、停止、格納、拡大、および縮小のうち少なくとも１つのための機能を含んでもよい。
【００７２】
ここで、広告を制御する過程は、図８および図９を参考にしながらより詳しく説明する。
【００７３】
図８は、図６に示した広告を制御する過程のうち広告をローリングする動作を説明するフローチャートである。
【００７４】
図８を参照すると、ステップＳ８１０では、ユーザから広告ローリング命令を受信してもよい。一例として、ユーザからボタンクリックなどによって広告ローリング命令が入力されてもよい。
【００７５】
ステップＳ８３０では、選択されたキャンペーンに含まれる１つ以上の広告を広告露出領域に露出するように制御してもよい。すなわち、広告ローリングを介してユーザに選択される広告キャンペーンは、１つ以上の広告を含んでもよく、少なくとも１つの広告キャンペーンに含まれる広告の中の１つが広告露出領域に露出されてもよい。
【００７６】
図９は、図６に示した広告を制御する過程のうち広告検索を行う過程を示す。
【００７７】
図９を参照すると、ステップＳ９１０では、広告コントロール領域内の検索ウィンドウを介してユーザからクエリが入力されてもよい。ここで、ユーザは特定の広告を検索しようとする場合、検索ウィンドウに検索キーワードを入力してもよい。
【００７８】
ステップＳ９２０では、クエリに対応する１つ以上の検索広告をユーザに提供してもよい。すなわち、ユーザのクエリに対応する検索結果をユーザに提供してもよい。
【００７９】
ステップＳ９３０では、１つ以上の検索広告のうち１つの広告をユーザから選択されてもよい。すなわち、ユーザは検索結果から所望する広告を選択してもよい。
【００８０】
ステップＳ９４０では、選択された広告を広告露出領域に露出するように制御してもよい。すなわち、ユーザによって選択された広告を広告露出領域に露出してもよい。
【００８１】
図６乃至図９で説明してない部分は、図１乃至図５の説明を参考にすることができる。
【００８２】
また、図３で例示した広告コントロール領域３１１は、ユーザに提供され得る複数の広告に関する追加的な情報を提供するウェブページへのリンクを含んでもよい。例えば、インターネットポータルサイトネイバー（ｗｗｗ．ｎａｖｅｒ．ｃｏｍ）において提供されるこのような広告情報提供ページは、「ＡＤキャストホーム」と呼ばれてもよい。ここで、ＡＤキャストホームで提供されるＡＤキャストサービスは、オンライン及びオフラインで得られる多様な広告をユーザが便利に検索することができる機能を提供してもよい。このようなＡＤキャストサービスは、該当企業が広告提供に同意した場合に該当広告が露出されるようにしてもよい。すなわち、広告主が広告の露出に同意しない場合、または露出に同意した期間が経過した場合には、該当広告が検索または露出されないようにしてもよい。ＡＤキャストサービスは、プレーヤーを提供してＣＦのような動画広告や音声広告などを提供してもよく、ログインサービスなどを利用した成人認証によって、酒類、タバコなどの広告の露出を制限してもよい。
【００８３】
広告は、次のような方法によってＡＤキャストホームから検索することができる。第１に、ＡＤキャストホームに接続すると、現在流れている広告が無作為に配置されており、所望する広告をクリックすれば、広告に関する詳しい内容を調べることができる。第２に、業種タブを選択すれば、業種および企業別に現在流れている又は過去に流れた広告を調べることができる。第３に、ＡＤキャストサービスの中の製品名、ブランド名などの関連キーワードを直接検索することによって、広告を調べることができる。
【００８４】
選択した広告のテンプレートには、広告に用いられた素材（例えば、動画、フラッシュなど）だけでなく、広告露出期間、製作会社、モデル、広告コンセプトなどの多様な情報を含んでもよい。このような多様な情報は、該当企業で情報を提供した場合にのみユーザに示されてもよく、したがって、広告によって示される情報が異なってもよい。
【００８５】
図１０は、ポータルサイトネイバーによって提供される広告情報提供ページ（ＡＤキャストホーム）の一例である。先に言及した広告情報提供ページは、広告提供領域３１０を介して提供することができるバナー広告を集めて提供してもよい。このような広告情報提供ページにおいて、ユーザは多様な広告の情報を閲覧してもよい。ここで、図１０の一例では、広告業種別ブラウジング、広告期間別ブラウジング、広告商品別（広告露出インベントリ種類別）ブラウジングが可能である。また、ユーザは、特定広告主および／またはブランドを選択して該当広告主／ブランドに関連する広告を集めて閲覧してもよい。
【００８６】
図１１は、個別の広告に関する詳細情報を提供する画面を説明する図である。このような広告詳細情報提供ページは、図１０で例示した広告のサムネイルやタイトルクリック時にユーザに提供されてもよい。例示した広告詳細情報提供ページには、個別の広告に関連する追加情報（例えば、広告モデル、広告代理店など）に関する情報を提供してもよい。また、該当広告が適用されているサービスページへのリンクも提供してもよい。動画および音声広告の場合、ユーザは広告詳細情報提供ページに含まれるプレーヤーの再生ボタンをクリックするなどの過程を介して、該当動画および音声広告を再生してもよい。また、ユーザに該当広告に関連するクリエイティブ（ｃｒｅａｔｉｖｅ）を他のインターネット掲示空間に移すための手段を提供してもよい。このような手段によって、ユーザは該当広告に関するクリエイティブを自身のブログなどに掲示するためのコードの提供を受けてもよい。
【００８７】
図１２は、広告情報提供に関連する全体的なサービスのフローチャートである。まず、図１２は、ＡＤキャストホーム１２０１、キーワード検索結果１２０２および広告詳細情報提供ページの「Ｅｎｄ  Ｐａｇｅ」１２０３の間の動きを示している。特に、ＡＤキャストホーム１２０１でキーワードが入力されるか、または推薦検索語のクリックが発生する（Ｓ１２０１）場合、キーワード検索結果１２０２がユーザに提供されてもよい。キーワード検索結果１２０２で、業種が選択されるか、または「ＡＤキャスト」に対するクリックが発生する（Ｓ１２０２）場合、ＡＤキャストホーム１２０１がユーザに提供されてもよい。また、ＡＤキャストホーム１２０１で照会結果内のサムネイルやタイトルクリックが発生する（Ｓ１２０３）場合、該当広告の詳細情報提供ページの「Ｅｎｄ  Ｐａｇｅ」１２０３がユーザに提供されてもよい。さらに、「Ｅｎｄ  Ｐａｇｅ」１２０３で業種選択や「ＡＤキャスト」に対するクリックが発生する（Ｓ１２０４）場合に、ＡＤキャストホーム１２０１がユーザに提供されてもよい。また、ＡＤキャストホーム１２０１、キーワード検索結果１２０２、および「Ｅｎｄ  Ｐａｇｅ」１２０３で詳細情報内の各項目がクリックされる（Ｓ１２０５）場合には、図１２の右側に示すようなそれぞれの該当プロセス１２０４が行われてもよい。それだけでなく、カフェ／ブログ挿入ポップアップを介してブログやカフェに該当広告を挿入することができ、ブログやカフェで詳細情報内の各項目がクリックされる（Ｓ１２０６）場合にも、該当プロセス１２０４が行われてもよい。また、ブログやカフェに挿入された広告を介して「ＡＤキャスト」がクリックされる（Ｓ１２０７）、又はタグがクリックされる（Ｓ１２０８）場合、ＡＤキャストホーム１２０１、またはキーワード検索結果１２０２をユーザに提供してもよい。
【００８８】
上記のように、広告露出領域と広告コントロール領域とを分離して提供することによって、ユーザがより容易に広告を制御することができるローリング広告提供方法を提供することができる。
【００８９】
また、ユーザの簡単なボタン操作などによって広告のローリングをより能動的に行うことにより、ユーザは自身が所望する広告を選択的に閲覧することができ、広告ターゲッティングの効果を増大することができる。
【００９０】
また、ユーザが自身の選択によって露出する広告キャンペーンを選択できるようにすることによって、ユーザが広告を能動的に視聴することができる。
【００９１】
また、本発明の一実施形態に係るユーザ制御広告方法は、多様なコンピュータで実現される動作を行うためのプログラム命令を含むコンピュータ読み出し可能媒体を含む。前記コンピュータ読み出し可能媒体は、プログラム命令、データファイル、データ構造などを単独で、または組み合わせて含むことができる。前記媒体とプログラム命令は、本発明のために特別に設計して構成されたものであるか、コンピュータソフトウェア当業者に公知されて使用可能になったものであってもよい。コンピュータ読み出し可能記録媒体の例としては、ハードディスク、フロッピー（登録商標）ディスク、および磁気テープのような磁気媒体、ＣＤ−ＲＯＭ、ＤＶＤのような光記録媒体、フロプティカルディスクのような磁気媒体、およびＲＯＭ、ＲＡＭ、フラッシュメモリなどのようなプログラム命令を格納して実行するように特別に構成されたハードウェア装置が含まれる。プログラム命令の例としては、コンパイラによって生成されるような機械語コードだけでなくインタープリタなどを用いてコンピュータによって実行され得る高級言語コードを含む。
【００９２】
本発明は、本発明が属する分野で通常の知識を有する者であれば、このような記載から多様な修正および変形が可能である。したがって、本発明の思想は、特許請求の範囲だけで把握されなければならず、これらの均等または等価的変形のある全てのものは本発明の思想の範疇に属するといえる。
【図１】
0005599828.tif 000002
【図２】
0005599828.tif 000003
【図４】
0005599828.tif 000004
【図５】
0005599828.tif 000005
【図６】
0005599828.tif 000006
【図７】
0005599828.tif 000007
【図８】
0005599828.tif 000008
【図９】
0005599828.tif 000009
【図１０】
0005599828.tif 000010
【図１１】
0005599828.tif 000011
【図１２】
0005599828.tif 000012
【図３】
0005599828.tif 000013